【手続補正書】
【提出日】平成15年5月30日(2003.5.30)
【手続補正１】
【補正対象書類名】明細書
【補正対象項目名】全文
【補正方法】変更
【補正の内容】
【発明の名称】木材接合金具
【特許請求の範囲】
【請求項１】薄肉金属を切り起こして多数の爪を形成した木材接合金具であって、前記爪を、長さの異なる爪が混在する多数の爪によって構成したことを特徴とする木材接合金具。
【請求項２】請求項１において、前記多数の爪を、長爪と短爪との２種類の爪によって構成したことを特徴とする木材接合金具。
【発明の詳細な説明】
【発明の属する技術分野】
本発明は、例えば建築・構築の分野で木材同士を繋ぎ止めるために使用される、木材接合金具の改良に関する。
【従来の技術】
木材接合金具の使用例を、木造家屋を建てる場合を例にとって説明すると、土台、軸組等で隣り合う２材の接合には、長年にわたってかすがいが使用されてきた。
しかし、断面が略正方形の圧延棒鋼、いわゆる角鋼からなるかすがいは、爪と爪との間の渡りの部分の肉厚が約６ｍｍと比較的厚いことから、これを金槌で柱材等に打ち込んでも、前記柱材等、打込対象となる木材と同一面（つら）になるまで打ち込むことはできず（無理に打ち込むと木材に割れを生じることがある）、したがってかすがいを打った柱材等の上に板を張る必要がある場合には、前記かすがいの出張り部分が邪魔になることから、かすがいを打つ木材に対し、予めそれ相当の深さの段差加工を施す手間を必要とする。
また、従来、亜鉛引鉄板を三角形に切って作った小片の釘である、いわゆる三角プレートも使用されており、三角プレートの場合、その肉厚は、約２ｍｍから２．６ｍｍと、かすがいに較べて薄いものの、三角プレートを釘で柱材等に打ち込んだ場合、これを打込対象となる木材と同一面になるまで打ち込むことはできないのが作業現場の実際であり、したがって三角プレートを打った柱材等の上に板を張る必要がある場合には、前記三角プレートの出張り部分が邪魔になることから、かすがい打ちの場合に較べて浅くてもよいとはいうものの、これまた三角プレートを打つ木材に対し、予めそれ相当の深さの段差加工を施す手間を必要とする。
これに対し、肉厚が約１ｍｍ程度の薄い鉄板を切り起こして多数の爪を形成した木材接合金具が先に提案されており、これを木ハンマーで隣り合う木材に打ち込むと、約１ｍｍと肉厚の薄い木材接合金具は、打込対象となる木材と同一面に平らに打ち込むことができ、したがって木材接合金具を打った木材の上に板を張る必要がある場合には、そのまま木材接合金具の上に板を張ることができ、かすがい打ちや三角プレート打ちの場合のように、打込対象木材に対し、予めそれ相当の深さの段差加工を施す手間を省略することができ、作業性に優れている。
【発明が解決しようとする課題】
本発明は、かすがい打ちや三角プレート打ちの場合のように、打込対象木材に対し、予めそれ相当の深さの段差加工を施す必要のない、薄肉金属に多数の爪を切り起こした木材接合金具を対象とし、その目的とするところは、従来形この種木材接合金具に比べてその耐震性をさらに向上させ、ひいては建築物・構築物の損壊を従来よりも抑止することのできる、改良された木材接合金具を提供することにある。
【課題を解決するための手段】
前記目的は、薄肉金属を切り起こして多数の爪を形成した木材接合金具であって、前記爪を、長さの異なる爪が混在する多数の爪により構成することによって達成される。
【発明の実施の形態】
以下、本発明の実施形態を、図面に基づいて説明すると、肉厚が約１ｍｍ程度の薄肉金属（図示実施例の場合、薄肉鉄板１）を切り起こして多数の爪２，２，…を形成し、さらに前記爪２，２，…の木材食い込み方向である長手方向に捩りを加えた木材接合金具１００、より詳しくは、図１に示すように、隣接する列間で位置をずらせ、互いに向き合う一対の爪２，２に反対方向の捩りを加えた木材接合金具１００における前記爪２，２，…を、図２に示すように、同一の長さに一様に揃えることなく、図４に示すように、長さの異なる爪が混在する多数の爪によって構成したものである。
そして、前記木材接合金具１００を木ハンマーで図５に示す隣り合う木材３，３に打ち込むと、約１ｍｍと肉厚の薄い木材接合金具１００は、打込対象となる木材３，３と同一面に平らに打ち込むことができ、したがって木材接合金具１００を打った木材３，３の上に板を張る必要がある場合には、そのまま木材接合金具１００の上に板を張ることができ、かすがい打ちや三角プレート打ちの場合のように、打込対象木材に対し、予めそれ相当の深さの段差加工を施す手間を省略することができ、作業性に優れている。
そして、本実施形態においては、図４に示すように、互いに向き合う一対の爪２，２に反対方向の捩りを加えた多数の爪２，２，…を、長爪２ａ，２ａ，…と短爪２ｂ，２ｂ，…との２種類の爪（長短比１．５〜２：１）により構成したものであって、地震時、木材から金具が浮き上がろうとするのを長爪２ａ，２ａ，…が阻止する一方、爪２，２，…を曲げようとする力に対しては、前記長爪２ａ，２ａ，…に比べて剛性を有する短爪２ｂ，２ｂ，…がこれを阻止すべく作用するものであり、これにより、従来形この種木材接合金具に比べてその耐震性をさらに向上させることができる。
なお、本発明で対象とする木材接合金具１００の耐震性が従来形この種木材接合金具と同等で良い場合、例えば地震の発生率が少なく、その大きさもそれ程でない地域に本発明で対象とする木材接合金具１００を輸出して建築物・構築物を建て上げるような場合は、薄肉鉄板１を切り起こして形成する爪２，２，…の数を少なくすることができ、その分、金型の製作コストを低減できることに加えて、爪先の研磨等の後加工に要する手間暇も少なくて済み、ひいては製品コストの低減化に寄与することができる。
また、本発明で対象とする木材接合金具１００は、種々多様な寸法を有する角材や柱等を予め想定してこれに迅速に対応できるよう、サイズ的に２０種類程度の金具を用意しておくと良く、かつコーナー用に専用の金具も大小で１０種類程度用意しておくと良い。
さらに、図示の実施形態においては、木材接合金具１００を鉄材により構成した場合について例示したが、耐震強度的に問題なければ前記鉄材に代えて他の金属材を用いることに問題はない。
【発明の効果】
以上本発明は、かすがい打ちや三角プレート打ちの場合のように、打込対象木材に対し、予めそれ相当の深さの段差加工を施す必要のない、薄肉金属に多数の爪を切り起こした木材接合金具を対象とするものであって、本発明によれば、薄肉金属を切り起こして多数の爪を形成した木材接合金具における前記多数の爪を同一の長さに一様に揃えることなく、長さの異なる爪が混在する多数の爪によって構成したことにより、地震時、木材から金具が浮き上がろうとするのを長爪が阻止する一方、爪を曲げようとする力に対しては、前記長爪に比べて剛性を有する短爪がこれを阻止すべく作用するものであり、これにより、従来形この種木材接合金具に比べてその耐震性をさらに向上させ、ひいては建築物・構築物の損壊を従来よりも抑止することができる。
【図面の簡単な説明】
【図１】木材接合金具の一例を示す平面図である。
【図２】図１のＡ−Ａ線断面図である。
【図３】図２の右側面図である。
【図４】図１のＡ−Ａ線に相当する断面図である。
【図５】木材接合金具を隣り合う２材に打ち込んだ場合の具体例を示す図である。
【符号の説明】
１００…木材接合金具、１…薄肉鉄板、２…爪、２ａ…長爪、２ｂ…短爪、３…木材。